(57)【要約】【課題】  互いに相関の高いスペクトル画像とスライス画像とを同時表示することで診断により有用な情報を提示可能とする。【解決手段】  静磁場磁石１、傾斜磁場コイル２、傾斜磁場電源３、ＲＦコイルユニット６ａ，６ｂ，６ｃ、送信部７、選択回路８、受信部９および計算機ユニット１０は、それぞれ異なる複数の撮像スライスに関して被検体２００のスライス画像をそれぞれ撮像するとともに、測定スライスに関して被検体２００の磁気共鳴スペクトルを測定する。主制御部１７は、複数のスライス画像のうちから、測定スライスに最も近い撮像スライスに関するスライス画像を選択してスペクトル画像と同時に表示するための表示画像を作成する。【選択図】      図１
2008246193.tif 000002
【特許請求の範囲】
【請求項１】
それぞれ異なる複数の撮像スライスに関して被検体のスライス画像をそれぞれ撮像する撮像手段と、
測定スライスに関して前記被検体の磁気共鳴スペクトルを測定する測定手段と、
前記複数のスライス画像のうちから、前記測定スライスに最も近い撮像スライスに関するスライス画像を選択する選択手段と、
前記選択されたスライス画像と前記スペクトル画像とを同時に表示するための表示画像を作成する作成手段とを具備したことを特徴とする磁気共鳴診断装置。
【請求項２】
それぞれ異なる複数の撮像スライスに関して被検体のスライス画像をそれぞれ撮像する撮像手段と、
測定スライスに関して前記被検体の磁気共鳴スペクトルを測定する測定手段と、
前記複数のスライス画像のうちから、前記測定スライスと少なくとも一部が重複する１つまたは複数の撮像スライスに関するスライス画像を選択する選択手段と、
前記選択された１つまたは複数のスライス画像と前記スペクトル画像とを同時に表示するための表示画像を作成する作成手段とを具備したことを特徴とする磁気共鳴診断装置。
【請求項３】
前記選択手段は、前記磁気共鳴スペクトルを測定した測定スライスと少なくとも一部が重複する全ての撮像スライスに関するスライス画像を選択することを特徴とする請求項２に記載の磁気共鳴診断装置。
【請求項４】
前記作成手段は、前記選択され１つのスライス画像に関連付けて、あるいは前記選択された複数のスライス画像のそれぞれに関連付けて、当該スライス画像に関する撮像スライスと前記測定スライスとの重複量をさらに表す前記表示画像を作成することを特徴とする請求項１乃至請求項３のいずれか１項に記載の磁気共鳴診断装置。
【請求項５】
前記作成手段は、前記重複量を、前記撮像スライスが前記測定スライスに重複する度合いにより前記表示画像に表すことを特徴とする請求項４に記載の磁気共鳴診断装置。
【請求項６】
前記作成手段は、前記選択された１つのスライス画像に関連付けて、あるいは前記選択された複数のスライス画像のそれぞれに関連付けて、当該スライス画像に関する撮像スライスにおける前記撮像スライスのスライス方向についてのいずれの側で前記測定スライスに重複するかをさらに表す前記表示画像を作成することを特徴とする請求項４に記載の磁気共鳴診断装置。
【請求項７】
磁気共鳴スペクトルの測定結果を表すスペクトル画像を表示する医用画像表示装置において、
それぞれ異なる撮像スライスに関して撮像された複数のスライス画像のうちから、前記磁気共鳴スペクトルを測定した測定スライスに最も近い撮像スライスに関するスライス画像を選択する選択手段と、
前記選択されたスライス画像と前記スペクトル画像とを同時に表示するための表示画像を作成する作成手段とを具備したことを特徴とする医用画像表示装置。
【請求項８】
磁気共鳴スペクトルの測定結果を表すスペクトル画像を表示する医用画像表示装置において、
それぞれ異なる撮像スライスに関して撮像された複数のスライス画像のうちから、前記磁気共鳴スペクトルを測定した測定スライスと少なくとも一部が重複する１つまたは複数の撮像スライスに関するスライス画像を選択する選択手段と、
前記選択された１つまたは複数のスライス画像と前記スペクトル画像とを同時に表示するための表示画像を作成する作成手段とを具備したことを特徴とする医用画像表示装置。
【請求項９】
前記選択手段は、前記磁気共鳴スペクトルを測定した測定スライスと少なくとも一部が重複する全ての撮像スライスに関するスライス画像を選択することを特徴とする請求項８に記載の医用画像表示装置。
【請求項１０】
前記作成手段は、前記選択された１つのスライス画像に関連付けて、あるいは前記選択された複数のスライス画像のそれぞれに関連付けて、当該スライス画像に関する撮像スライスと前記測定スライスとの重複量をさらに表す前記表示画像を作成することを特徴とする請求項７乃至請求項９のいずれか１項に記載の医用画像表示装置。
【請求項１１】
前記作成手段は、前記重複量を、前記撮像スライスが前記測定スライスに重複する度合いにより前記表示画像に表すことを特徴とする請求項１０に記載の医用画像表示装置。
【請求項１２】
前記作成手段は、前記選択された１つのスライス画像に関連付けて、あるいは前記選択された複数のスライス画像のそれぞれに関連付けて、当該スライス画像に関する撮像スライスにおける前記撮像スライスのスライス方向についてのいずれの側で前記測定スライスに重複するかをさらに表す前記表示画像を作成することを特徴とする請求項１０に記載の医用画像表示装置。
【発明の詳細な説明】
【技術分野】
【０００１】
本発明は、磁気共鳴イメージング（ＭＲＩ）と磁気共鳴スペクトロスコピー（ＭＲＳ）とを行う磁気共鳴診断装置と、この種の磁気共鳴診断装置で得られる画像を表示するのに適する医用画像表示装置に関する。
【背景技術】
【０００２】
この種の医用画像診断装置は、例えば特許文献１などによって知られている。
【０００３】
この種の医用画像診断装置では一般に、ＭＲＩによるマルチスライス撮像を行って得られるスライス画像のうちの１枚を位置決め用画像として利用してＭＲＳの測定範囲を設定する。そしてＭＲＳの測定結果とスライス画像との双方を参照ながらの診断のために、ＭＲＳの測定結果を表すスペクトル画像と位置決め用画像として使用されたスライス画像とを同時表示することが知られている。
【特許文献１】特開２００１−１８７０３８
【発明の開示】
【発明が解決しようとする課題】
【０００４】
しかしながら、位置決め用画像のスライスである撮像スライスの厚みが通常数ｍｍ程度であるのに対して、ＭＲＳの測定の対象となるスライスである測定スライスの厚みは通常１〜２ｃｍ程度であり、両スライスは互いに異なる。このため測定スライスは、位置決め用画像の撮像スライスとは無関係に設定されることがある。そしてこの場合には、互いに異なる範囲に関するスペクトル画像とスライス画像とが同時表示されてしまうという不具合があった。
【０００５】
本発明はこのような事情を考慮してなされたものであり、その目的とするところは、互いに相関の高いスペクトル画像とスライス画像とを同時表示することで診断に有用な情報を提示可能とすることにある。
【課題を解決するための手段】
【０００６】
本発明の第１の態様による磁気共鳴診断装置は、それぞれ異なる複数の撮像スライスに関して被検体のスライス画像をそれぞれ撮像する撮像手段と、測定スライスに関して前記被検体の磁気共鳴スペクトルを測定する測定手段と、前記複数のスライス画像のうちから、前記測定スライスに最も近い撮像スライスに関するスライス画像を選択する選択手段と、前記選択されたスライス画像と前記スペクトル画像とを同時に表示するための表示画像を作成する作成手段とを備える。
【０００７】
本発明の第２の態様による磁気共鳴診断装置は、それぞれ異なる複数の撮像スライスに関して被検体のスライス画像をそれぞれ撮像する撮像手段と、測定スライスに関して前記被検体の磁気共鳴スペクトルを測定する測定手段と、前記複数のスライス画像のうちから、前記測定スライスと少なくとも一部が重複する１つまたは複数の撮像スライスに関するスライス画像を選択する選択手段と、前記選択された１つまたは複数のスライス画像と前記スペクトル画像とを同時に表示するための表示画像を作成する作成手段とを備える。
【０００８】
本発明の第３の態様による医用画像表示装置は、磁気共鳴スペクトルの測定結果を表すスペクトル画像を表示する医用画像表示装置であって、それぞれ異なる撮像スライスに関して撮像された複数のスライス画像のうちから、前記磁気共鳴スペクトルを測定した測定スライスに最も近い撮像スライスに関するスライス画像を選択する選択手段と、前記選択されたスライス画像と前記スペクトル画像とを同時に表示するための表示画像を作成する作成手段とを備える。
【０００９】
本発明の第４の態様による医用画像表示装置は、磁気共鳴スペクトルの測定結果を表すスペクトル画像を表示する医用画像表示装置であって、それぞれ異なる撮像スライスに関して撮像された複数のスライス画像のうちから、前記磁気共鳴スペクトルを測定した測定スライスと少なくとも一部が重複する１つまたは複数の撮像スライスに関するスライス画像を選択する選択手段と、前記選択された１つまたは複数のスライス画像と前記スペクトル画像とを同時に表示するための表示画像を作成する作成手段とを備える。
【発明の効果】
【００１０】
本発明によれば、互いに相関の高いスペクトル画像とスライス画像とを同時表示することで診断に有用な情報を提示可能となる。
【発明を実施するための最良の形態】
【００１１】
以下、図面を参照して本発明の一実施形態につき説明する。
【００１２】
図１は本実施形態に係る磁気共鳴診断装置１００の構成を示す図である。磁気共鳴診断装置１００は、静磁場磁石１、傾斜磁場コイル２、傾斜磁場電源３、寝台４、寝台制御部５、ＲＦコイルユニット６ａ，６ｂ，６ｃ、送信部７、選択回路８、受信部９および計算機システム１０を具備する。
【００１３】
静磁場磁石１は、中空の円筒形をなし、内部の空間に一様な静磁場を発生する。この静磁場磁石１としては、例えば永久磁石、超伝導磁石等が使用される。
【００１４】
傾斜磁場コイル２は、中空の円筒形をなし、静磁場磁石１の内側に配置される。傾斜磁場コイル２は、互いに直交するＸ，Ｙ，Ｚの各軸に対応する３種のコイルが組み合わされている。傾斜磁場コイル２は、上記の３種のコイルが傾斜磁場電源３から個別に電流供給を受けて、磁場強度がＸ，Ｙ，Ｚの各軸に沿って傾斜する傾斜磁場を発生する。なお、Ｚ軸方向は、例えば静磁場と同方向とする。Ｘ，Ｙ，Ｚ各軸の傾斜磁場の組み合わせにより、スライス選択用傾斜磁場Ｇs、位相エンコード用傾斜磁場Ｇeおよびリードアウト用傾斜磁場Ｇrが形成される。スライス選択用傾斜磁場Ｇsは、任意に撮影断面を決めるために利用される。位相エンコード用傾斜磁場Ｇeは、空間的位置に応じて磁気共鳴信号の位相を変化させるために利用される。リードアウト用傾斜磁場Ｇrは、空間的位置に応じて磁気共鳴信号の周波数を変化させるために利用される。
【００１５】
被検体２００は、寝台４の天板４ａに載置された状態で傾斜磁場コイル２の空洞（撮影空間）内に挿入される。寝台４は、寝台制御部５により駆動され、天板４ａをその長手方向（図１中における左右方向）および上下方向に移動する。通常、この長手方向が静磁場磁石１の中心軸と平行になるように寝台４が設置される。
【００１６】
ＲＦコイルユニット６ａは、１つまたは複数のコイルを円筒状のケースに収容して構成される。ＲＦコイルユニット６ａは、傾斜磁場コイル２の内側に配置される。ＲＦコイルユニット６ａは、送信部７から高周波（radio frequency）パルス（ＲＦパルス）の供給を受けて、高周波磁場を発生する。
【００１７】
ＲＦコイルユニット６ｂ，６ｃは、天板４ａ上に載置されたり、天板４ａに内蔵されたり、あるいは被検体２００に装着される。そして撮影時には、被検体２００とともに撮影空間内に挿入される。ＲＦコイルユニット６ｂ，６ｃとしては、アレイコイルが利用される。すなわちＲＦコイルユニット６ｂ，６ｃは、それぞれ複数の要素コイルを備える。ＲＦコイルユニット６ｂ，６ｃに備えられた要素コイルはそれぞれ、被検体２００から放射される磁気共鳴信号を受信する。要素コイルのそれぞれの出力信号は、個別に選択回路８に入力される。受信用のＲＦコイルユニットは、ＲＦコイルユニット６ｂ，６ｃに限らず、様々なタイプのものが任意に装着可能である。また受信用のＲＦコイルユニットは、１つまたは３つ以上が装着されても良い。
【００１８】
送信部７は、ラーモア周波数に対応するＲＦパルスをＲＦコイルユニット６ａに供給する。
【００１９】
選択回路８は、ＲＦコイルユニット６ｂ，６ｃから出力される多数の磁気共鳴信号のうちのいくつかを選択する。そして選択回路８は、選択した磁気共鳴信号を受信部９へ与える。どのチャネルを選択するかは、計算機システム１０から指示される。
【００２０】
受信部９は、増幅器、位相検波器およびアナログディジタル変換器を有する処理系を複数チャネル備えている。これら複数チャネルの処理系へは、選択回路８が選択する磁気共鳴信号がそれぞれ入力される。増幅器は、磁気共鳴信号を増幅する。位相検波器は、前置増幅器から出力される磁気共鳴信号の位相を検波する。アナログディジタル変換器は、位相検波器から出力される信号をディジタル信号に変換する。受信部９は、各処理系により得られるディジタル信号をそれぞれ出力する。
【００２１】
計算機システム１０は、インタフェース部１１、データ収集部１２、再構成部１３、記憶部１４、表示部１５、入力部１６および主制御部１７を有している。
【００２２】
インタフェース部１１には、傾斜磁場電源３、寝台制御部５、送信部７、受信部９および選択回路８等が接続される。インタフェース部１１は、これらの接続された各部と計算機システム１０との間で授受される信号の入出力を行う。
【００２３】
データ収集部１２は、受信部９から出力されるディジタル信号を収集する。データ収集部１２は、収集したディジタル信号、すなわち磁気共鳴信号データを記憶部１４に格納する。
【００２４】
再構成部１３は、記憶部１４に記憶された磁気共鳴信号データに対して、後処理、すなわちフーリエ変換等の再構成を実行し、被検体２００内の所望核スピンのスペクトラムデータあるいは画像データを求める。
【００２５】
記憶部１４は、磁気共鳴信号データと、スペクトラムデータあるいは画像データとを、被検者毎に記憶する。
【００２６】
表示部１５は、スペクトラムデータあるいは画像データ等の各種の情報を主制御部１７の制御の下に表示する。表示部１５としては、液晶表示器などの表示デバイスを利用可能である。
【００２７】
入力部１６は、オペレータからの各種指令や情報入力を受け付ける。入力部１６としては、マウスやトラックボールなどのポインティングデバイス、モード切替スイッチ等の選択デバイス、あるいはキーボード等の入力デバイスを適宜に利用可能である。
【００２８】
主制御部１７は、ＣＰＵやメモリ等を有しており、磁気共鳴診断装置１００を総括的に制御する。主制御部１７は、次のようないくつかの機能を備える。上記機能の１つは、マルチスライス撮像および磁気共鳴スペクトルの測定を行うように傾斜磁場電源３、送信部７、選択回路８、受信部９、データ収集部１２および再構成部１３などを制御する。上記機能の１つは、スペクトル画像とスライス画像とを同時表示するための表示画像を作成する。
【００２９】
次に以上のように構成された磁気共鳴診断装置１００の動作について説明する。なお、本実施形態の磁気共鳴診断装置１００における特徴的な動作は、スペクトル画像とスライス画像との同時表示機能にあるので、この機能に係わる動作を中心に説明する。
【００３０】
図２はスペクトル画像とスライス画像とを同時表示するための主制御部１７の処理手順を示すフローチャートである。なおこの処理は、周知の手順によりマルチスライス撮像された複数のスライス画像や、周知の手順により作成されたスペクトル画像が、例えば記憶部１４に保存さている状態で、操作者によりスペクトル画像の表示が要求されたことに応じて実行される。
【００３１】
なお、本実施形態の磁気共鳴診断装置１００は、マルチスライス指定による３次元ＭＲＳ（３ＤＭＲＳ）を行うことが可能である。例えば図３（ａ）に示すように、複数（図３では３つ）の測定スライスに属するボクセルのそれぞれがスペクトル測定の対象となる。なお、図３（ａ）の例では、破線３１で囲われる範囲の１つ１つが磁気共鳴信号の収集を行うボクセルを示し、実線３２で囲われる範囲内のボクセルがスペクトル測定の対象のボクセルを示す。一方、マルチスライス撮像における撮像スライスは、例えば図３（ｂ）に破線３３で示すような状態で設定される。図３に示すように、撮像スライスのスライス厚のほうが測定スライスのスライス厚よりも小さく、それぞれのスライスは一致しない。
【００３２】
ステップＳａ１において主制御部１７は、表示対象となるスペクトル画像がいずれの測定スライスに属するかを判断することにより、表示対象の測定スライスを決定する。
【００３３】
ステップＳａ２において主制御部１７は、表示モードが第１乃至第３のモードのいずれであるかを確認する。表示モードは、事前に設定されていても良いし、この時点で操作者により指定されても良い。
【００３４】
表示モードが第１のモードであるならば、主制御部１７はステップＳａ２からステップＳａ３へ進む。ステップＳａ３において主制御部１７は、表示対象の測定スライスのスライス中心に最も近い中心を持った１つの撮像スライスを表示対象として決定する。具体的には、図４に示すように撮像スライス４１〜４５に対して測定スライス５１が位置しているとするならば、撮像スライス４３が表示対象として決定される。
【００３５】
ステップＳａ４において主制御部１７は、表示対象のスペクトル画像と、表示対象の撮像スライスに関するスライス画像とを含めて表示画像を作成する。具体的には、図４に示すように撮像スライス４１〜４５に関してスライス画像６１〜６５がそれぞれ得られているのであれば、例えば図５に示すように表示対象のスペクトル画像７１とスライス画像６３とを並べた表示画像８１が作成される。
【００３６】
表示モードが第２のモードであるならば、主制御部１７はステップＳａ２からステップＳａ５へ進む。ステップＳａ５において主制御部１７は、表示対象の測定スライスと少なくとも一部が重複する全ての撮像スライスを表示対象として決定する。具体的には、図４の場合には、撮像スライス４２〜４４が表示対象として決定される。
【００３７】
ステップＳａ６において主制御部１７は、表示対象のスペクトル画像および表示対象の撮像スライスに関するスライス画像を含めて表示画像を作成する。具体的には、図４にスライス画像６１〜６５がそれぞれ得られているのであれば、例えば図６に示すように表示対象のスペクトル画像７１とスライス画像６２〜６４とを並べた表示画像８２が作成される。
【００３８】
表示モードが第３のモードであるならば、主制御部１７はステップＳａ２からステップＳａ７へ進む。ステップＳａ７において主制御部１７は、表示対象の測定スライスと少なくとも一部が重複する全ての撮像スライスを表示対象として決定する。具体的には、図４の場合には、撮像スライス４２〜４４が表示対象として決定される。
【００３９】
ステップＳａ８において主制御部１７は、表示対象のスペクトル画像および表示対象の撮像スライスに関するスライス画像を含めて表示画像を作成する。すなわちここでは、ステップＳａ６で作成されるのと同様な表示画像が作成される。
【００４０】
ステップＳａ９において主制御部１７は、表示対象の撮像スライスのそれぞれに関して、その撮像スライスが測定スライスと重複する割合を算出する。図４に示す状態にあっては例えば、撮像スライス４２〜４４に関する重複割合は、それぞれ２５％、１００％、４０％と算出される。
【００４１】
ステップＳａ１０において主制御部１７は、上記のように算出した重複割合を表す画像をステップＳａ８で作成した表示画像に合成する。具体的には、例えば図７に示すように、表示対象のスペクトル画像７１とスライス画像６２〜６４とを並べるとともに、スライス画像６２〜６４に重複割合を表す画像９１〜９３をそれぞれ合成した表示画像８３が作成される。
【００４２】
主制御部１７は、ステップＳａ４、ステップＳａ６またはステップＳａ１０を終えたら、ステップＳａ１１へ進む。ステップＳａ１１において主制御部１７は、上記のように作成した表示画像を例えば表示部１５や外部の表示デバイスなどに表示させる。
【００４３】
かくして本実施形態によれば、第１のモードにおいては、複数のスライス画像のうちから、測定スライスに最も大きく重複する撮像スライスに関する１つのスライス画像が選択されて、表示対象のスペクトル画像とともに表示されることになる。従って、この第１のモードにおける表示画像に基づけば、表示対象のスペクトル画像が表すＭＲＳ測定結果に最も相関の高い最適なスライス画像を参照しながらの効率的な診断が行える。
【００４４】
また第２のモードにおいては、複数のスライス画像のうちから、測定スライスと少なくとも一部が重複する全ての撮像スライスに関するスライス画像が選択されて、表示対象のスペクトル画像とともに表示されることになる。従って、この第２のモードにおける表示画像に基づけば、表示対象のスペクトル画像が表すＭＲＳ測定結果に相関のある全てのスライス画像を参照しながら確実な診断が行える。
【００４５】
また第３のモードにおいては、複数のスライス画像のうちから、測定スライスと少なくとも一部が重複する全ての撮像スライスに関するスライス画像が選択されて、表示対象のスペクトル画像とともに表示されるとともに、各スライス画像に関する撮像スライスと測定スライスとの重複割合が表示される。従って、この第３のモードにおける表示画像に基づけば、各スライス画像のスペクトル画像が表すＭＲＳ測定結果への影響の度合いを考慮しながら適切な診断が行える。
【００４６】
なお、第２または第３のモードでの表示画像によれば、第１のモードでの表示画像よりも多くの情報を含む。しかしながら、第１のモードでの表示画像によれば、１つのスライス画像のみを含めば良いため、限られた表示画面にてスライス画像やスペクトル画像を第２または第３のモードでの表示画像に比べて大きく表示することができる。本実施形態によれば、これらの表示形態を任意に使い分けることができるため、上記のような各モードの特徴を適宜に生かした有効な診断を行うことが可能である。
【００４７】
この実施形態は、次のような種々の変形実施が可能である。
【００４８】
第１乃至第３のモードのうちの１つまたは２つのみを備えるようにしても良い。
【００４９】
第１のモードにおいて、表示対象の測定スライスの中心が２つの撮像スライスの境界付近にあるときには、これら２つの撮像スライスをともに表示対象としても良い。
【００５０】
第２および第３のモードにおいては、測定スライスとの重複割合が閾値以下である撮像スライスに関しては、表示対象としないようにしても良い。
【００５１】
スペクトル画像およびスライス画像を個別に表す複数の画像をそれぞれ異なる表示デバイスで表示させるように同時に出力するようにしても良い。
【００５２】
上記の表示機能は、ビューワなどの医用画像表示装置に備えることもできる。
【００５３】
表示画像は、具体的な形態は様々に変形が可能である。その一部の例を以下に示す。これらの表示画像は、いずれか１種類がユーザの選択に依らずに固定的に表示されるのであっても良いし、これらの表示画像および前述した第１乃至第３のモードの表示のうちの少なくとも２つのうちのユーザにより選択された表示画像が表示されるのであっても良い。
【００５４】
(1)  第１のモードの表示画像に、例えば図７に示したのと同様な形態で重複割合を表した表示画像。ただし重複割合は、表示画像に含まれたスライス画像に関する撮像スライスが測定スライスの重複する割合である。
【００５５】
(2)  第１のモードの表示画像におけるスライス画像に代えて、第２のモードにおいて表示対象となる複数のスライス画像を合成した画像を表した表示画像。スライス画像の合成のためには、単純加算、加算平均、あるいは重み付け加算などの手法を利用可能である。なお、重み付け加算を利用する場合の重みとしては、例えば第３のモードで計算している重複割合を用いれば良い。
【００５６】
(3)  第３のモードの表示画像における重複割合に代えて、撮像スライスと測定スライスとの重複量を表した表示画像。図８はこのような表示画像８４の一例を示す図である。表示画像８４では、スライス画像６２〜６４に重複量を表す画像９４〜９６がそれぞれ合成されている。なお重複量に代えてオフセット量を表しても良い。
【００５７】
(4)  第３のモードの表示画像または上記(3)の表示画像に加えて、撮像スライスに対する測定スライスの重複方向を表した表示画像。図９はこのような表示画像８５の一例を示す図である。表示画像８５では、スライス画像６２およびスライス画像６４に重複割合および重複方向を表す画像９７，９８がそれぞれ合成されている。また図１０は別の表示画像８６の一例を示す図である。表示画像８６では、マルチスライス撮像における撮像スライスの設定状況を表した画像９９を含み、スライス画像６２〜６４がそれぞれどのスライスに関するかを表している。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００５９】
【図１】本発明の本実施形態に係る磁気共鳴診断装置１００の構成を示す図。
【図２】スペクトル画像とスライス画像とを同時表示するための図１中の主制御部１７の処理手順を示すフローチャート。
【図３】測定スライスと撮像スライスとの関係の一例を示す図。
【図４】測定スライスと撮像スライスとの位置関係の具体例およびスライス画像の具体例を示す図。
【図５】第１のモードにおける表示画像の具体例を示す図。
【図６】第２のモードにおける表示画像の具体例を示す図。
【図７】第３のモードにおける表示画像の具体例を示す図。
【図８】表示画像の変形例を示す図。
【図９】表示画像の変形例を示す図。
【図１０】表示画像の変形例を示す図。
【符号の説明】
【００６０】
１…静磁場磁石、２…傾斜磁場コイル、３…傾斜磁場電源、４…寝台、５…寝台制御部、６ａ，６ｂ，６ｃ…ＲＦコイルユニット、７…送信部、８…選択回路、９…受信部、１０…計算機システム、１１…インタフェース部、１２…データ収集部、１３…再構成部、１４…記憶部、１５…表示部、１６…入力部、１７…主制御部、１００…磁気共鳴診断装置。
【図１】
2008246193.tif 000003
【図２】
2008246193.tif 000004
【図３】
2008246193.tif 000005
【図４】
2008246193.tif 000006
【図５】
2008246193.tif 000007
【図６】
2008246193.tif 000008
【図７】
2008246193.tif 000009
【図８】
2008246193.tif 000010
【図９】
2008246193.tif 000011
【図１０】
2008246193.tif 000012